(57)【要約】【課題】トランジスタの光エネルギーを電気エネルギーに変換する駆動電気回路を提供する。【解決手段】マッチングした電気発光ユニットＥＬ１０１及びカップリングした光エネルギーを電気エネルギーに変換するユニットＰＥ１０１などを使って、光を受ける場合に微電流を生じる電圧型駆動電気エネルギーにより高入力抵抗型トランジスタＱ１０１またはその他高入力抵抗型トランジスタモジュールのゲート及びエミッタへ出力する場合、駆動及び導通の目的に使われると同時に、駆動用の正電圧電気エネルギーにより可変型負電圧回路供給装置ＶＢ１０１に電気エネルギーを貯蔵する。それによって、高抵抗トランジスタのゲート及びエミッタへ負電圧を入力できる。【選択図】    図１
2004179244.tif 000002
【特許請求の範囲】
【請求項１】
トランジスタの光エネルギーを電気エネルギーに変換する駆動電気回路に関するものであり、マッチングした電気発光ユニット、ならびにカップリングした光エネルギーを電気エネルギーに変換するユニットなどを使って、光を受ける場合に微電流を生じる電圧型駆動電気エネルギーによって高入力抵抗型トランジスタ、またはその他高入力抵抗型トランジスタモジュールのゲート及びエミッタへ出力する場合、駆動及び導通の目的に使われると同時に駆動用の正電圧電気エネルギーによる可変型負電圧回路供給装置に電気エネルギーを貯蔵し、１個または１個以上の高抵抗トランジスタのゲート及びエミッタに負電圧を入力可能であり、停止を協力可能であることを特徴とするトランジスタの光エネルギーを電気エネルギーに変換する駆動電気回路。
【請求項２】
請求項１で述べたトランジスタの光エネルギーを電気エネルギーに変換する駆動電気回路に関するものであり、
高入力抵抗型トランジスタ（Ｑ１０１）は、１個または１個以上の各種高入力抵抗型トランジスタで構成されたものであり、その中に１セット単極性または２セット逆極性の並列式またはブリッジ式モジュールの高入力抵抗型トランジスタあるいはその他高入力抵抗型トランジスタモジュール及びゲートで構成された能動ユニット、またはロジック運算及びデータ記憶メモリーの回路装置を構成し、感知回路装置を構成し、またはその他の回路を構成することにより、正電圧の電気エネルギーを引き受けて駆動するものであり、または需要により選定された数の光エネルギーを電気エネルギーに変換するユニット（ＰＥ１０１）を共同または個別マッチングする方式で高入力抵抗型トランジスタを駆動するものなどが含まれ、
光エネルギーを電気エネルギーに変換するユニット（ＰＥ１０１）は、光を受ける場合に生じるチップ系または非チップ系の光電池、またはその他タイプの光ネルギーを電気エネルギーに変換するユニットで構成されたものであり、環境自然光源または電気エネルギー発光ユニット（ＥＬ１０１）の光エネルギーを受け、高入力抵抗型トランジスタ（Ｑ１０１）の最低需要より高い駆動電圧に変換することにより、高入力抵抗型トランジスタ（Ｑ１０１）を駆動するものであり、前記電気エネルギー発光ユニット（ＥＬ１０１）は１個または１個以上の発光ダイオードＬＥＤまたはランプなどの光エネルギーを電気エネルギーに変換するユニットで構成されたものであり、それを光エネルギーを電気エネルギーに変換するユニット（ＰＥ１０１）とマッチングする状態は、その出力される光エネルギーにより光エネルギーを電気エネルギーに変換するユニット（ＰＥ１０１）に最低需要の駆動電圧を生じるものであり、１個または１個以上の電気エネルギー発光ユニット（ＥＬ１０１）を使って光エネルギーを電気エネルギーに変換するユニット（ＰＥ１０１）を駆動し、１個または１個以上の電気エネルギー発光ユニット（ＥＬ１０１）を使って共同で光エネルギーを電気エネルギーに変換するユニット（ＰＥ１０１）を駆動し、あるいは２個または２個以上の電気エネルギー発光ユニット（ＥＬ１０１）を使ってそれぞれ光エネルギーを電気エネルギーに変換するユニット（ＰＥ１０１）を独立の方式で駆動し、あるいは２個または２個以上の電気エネルギー発光ユニット（ＥＬ１０１）を使って同時に２個または２個以上の光エネルギーを電気エネルギーに変換するユニット（ＰＥ１０１）を駆動するものであり、電気エネルギー発光ユニット（ＥＬ１０１）は回路の需要により１個または１個以上を設置する、または設置しないことを選択可能であり、
可変型負電圧回路供給装置（ＶＢ１０１）は、固体または機電式ユニットで構成され、停止する時に負電圧を供給して、高入力抵抗型トランジスタ（Ｑ１０１）の制御ゲート及びエミッタへ出力することにより、高入力抵抗型トランジスタ（Ｑ１０１）の停止に協力可能であり、正電圧電力エネルギーを駆動する制御信号を受信する場合、あるいは光エネルギーを電気エネルギーに変換するユニット（ＰＥ１０１）が電気エネルギー発光ユニット（ＥＬ１０１）または環境自然光源を受けて正電圧を生じ高入力抵抗型トランジスタ（Ｑ１０１）を駆動する場合、可変型負電圧回路供給装置（ＶＢ１０１）は同時に入力された正電圧信号の電気エネルギーを利用して負電圧を貯蔵可能であり、高入力抵抗型トランジスタ（Ｑ１０１）へ出力する正電圧信号が中断する場合、可変型負電圧回路供給装置（ＶＢ１０１）より高入力抵抗型トランジスタ（Ｑ１０１）の制御ゲート及びエミッタへ負電圧を入力することにより、停止する場合、電力エネルギーを供給可能であり、可変型負電圧回路供給装置（ＶＢ１０１）の負電圧電気エネルギーで光エネルギーが電気エネルギーに変換するユニットを使用可能であり、それは共同の光エネルギーを電気エネルギーに変換するユニット（ＰＥ１０１）、独立で設置された光エネルギーを電気エネルギーに変換するユニット（ＰＥ１０２）またはその他の駆動信号源からの正電圧電気エネルギーを含み、その負電圧貯蔵エネルギーが機電変換機能ユニット、インダクタンスユニット、キャパシタンスユニット、充電放電可能な二次電池、スーパーキャパシタンスまたはその他タイプの電気エネルギー貯蔵装置で構成され、高入力抵抗型トランジスタ（Ｑ１０１）を駆動する正電圧の電気エネルギーを貯蔵可能であり、
負荷ユニット（ＬＤ１０１）は、その中に電気エネルギーを入力することで機械エネルギー、光、熱または電気化学効力を生じる負荷、その他抵抗性、キャパシタンス、インダクタンスなどの負荷、トランジスタ、ダイオード、あるいはその他各種の固体電子または機電式負荷ユニットで構成され、パワー負荷またはパワー増幅機能としての回路負荷、信号送受信としての負荷、データの記憶の読み取りと削除と運算としての負荷、あるいは感知回路装置またはその他の回路負荷が含まれているものであり、高入力抵抗型トランジスタ（Ｑ１０１）の制御を受けるものであることを特徴とするトランジスタの光エネルギーを電気エネルギーに変換する駆動電気回路。
【請求項３】
請求項１で述べたトランジスタの光エネルギーを電気エネルギーに変換する駆動電気回路に関するものであり、電気エネルギー発光ユニット（ＥＬ１０１）、光エネルギーを電気エネルギーに変換するユニット（ＰＥ１０１）及び可変型負電圧回路供給装置（ＶＢ１０１）は、構造の需要により独立構造で相互にカップリングする、あるいは部分的または全体的に相互にカップリングする密封状態を呈するものであることを特徴とするトランジスタの光エネルギーを電気エネルギーに変換する駆動電気回路。
【請求項４】
請求項１で述べたトランジスタの光エネルギーを電気エネルギーに変換する駆動電気回路に関するものであり、電気エネルギー発光ユニット（ＥＬ１０１）、光エネルギーを電気エネルギーに変換するユニット（ＰＥ１０１）及び可変型負電圧回路供給装置（ＶＢ１０１）は、構造の需要により部分的または全体的に高入力抵抗型トランジスタ（Ｑ１０１）と分離して設置されている、あるいは一体であるモジュール構造を呈するものであることを特徴とするトランジスタの光エネルギーを電気エネルギーに変換する駆動電気回路。
【請求項５】
請求項１で述べたトランジスタの光エネルギーを電気エネルギーに変換する駆動電気回路に関するものであり、その各種の関連する回路ユニットは、集積回路、回路基板、直接接続の開放式構造、または混合構造を使うことが可能であることを特徴とするトランジスタの光エネルギーを電気エネルギーに変換する駆動電気回路。
【請求項６】
請求項１で述べたトランジスタの光エネルギーを電気エネルギーに変換する駆動電気回路に関するものであり、電気エネルギー発光ユニット（ＥＬ１０１）を駆動する電源は、交流または直流電流を使ってランプを駆動するユニット、直流電気エネルギーを使って発光ダイオードＬＥＤを駆動するユニット、あるいはレーザ光源またはその他電気エネルギーを使って電気エネルギーを励起する発光ユニットで構成され、または環境自然光源を使用するものであることを特徴とするトランジスタの光エネルギーを電気エネルギーに変換する駆動電気回路。
【請求項７】
請求項１で述べたトランジスタの光エネルギーを電気エネルギーに変換する駆動電気回路に関するものであり、その可変型負電圧回路供給装置（ＶＢ１０１）は、高入力抵抗型トランジスタ（Ｑ１０１）の入力端をインダクタンス（Ｌ１０１）と並列し、外部からの信号源または電気エネルギー発光ユニット（ＥＬ１０１）からのカップリングされ選定した出力電圧の光エネルギーを電気エネルギーに変換するユニット（ＰＥ１０１）を制御し、高入力抵抗型トランジスタ（Ｑ１０１）を駆動する正電圧の信号源が中断する場合、インダクタンス（Ｌ１０１）が高入力抵抗型トランジスタ（Ｑ１０１）の入力端に逆方向負電圧を生じることにより停止する特性を改善可能であることを特徴とするトランジスタの光エネルギーを電気エネルギーに変換する駆動電気回路。
【請求項８】
請求項１で述べたトランジスタの光エネルギーを電気エネルギーに変換する駆動電気回路に関するものであり、その可変型負電圧回路供給装置（ＶＢ１０１）は、高入力抵抗型トランジスタ（Ｑ１０１）の入力端をインダクタンス（Ｌ１０１）及びキャパシタンス（Ｃ１０１）のセットと並列し、外部からの信号源または電気エネルギー発光ユニット（ＥＬ１０１）からのカップリングされ選定した出力電圧の光エネルギーを電気エネルギーに変換するユニット（ＰＥ１０１）を制御し、高入力抵抗型トランジスタ（Ｑ１０１）を駆動する正電圧の信号源が中断する場合、並列されたインダクタンス（Ｌ１０１）及びキャパシタンス（Ｃ１０１）のセットが高入力抵抗型トランジスタ（Ｑ１０１）の入力端に逆方向負電圧を生じることにより停止する特性を改善可能であることを特徴とするトランジスタの光エネルギーを電気エネルギーに変換する駆動電気回路。
【請求項９】
請求項１で述べたトランジスタの光エネルギーを電気エネルギーに変換する駆動電気回路に関するものであり、その可変型負電圧回路供給装置（ＶＢ１０１）は、高入力抵抗型トランジスタ（Ｑ１０１）の入力端と正電圧を駆動する信号源との間にインダクタンス（Ｌ１０１）を直列し、外部からの信号源または電気エネルギー発光ユニット（ＥＬ１０１）からのカップリングされ選定した出力電圧の光エネルギーを電気エネルギーに変換するユニット（ＰＥ１０１）を制御し、高入力抵抗型トランジスタ（Ｑ１０１）を駆動する正電圧の信号源が中断する場合、正電圧を駆動する信号源との間に直列されているインダクタンス（Ｌ１０１）が高入力抵抗型トランジスタ（Ｑ１０１）の入力端に逆方向負電圧を生じることにより停止する特性を改善可能であり、光エネルギーを電気エネルギーに変換するユニット（ＰＥ１０１）の両端に需要により補助レジスタンス（Ｒ５００）を並列することにより、逆方向負電圧の回路を提供可能であることを特徴とするトランジスタの光エネルギーを電気エネルギーに変換する駆動電気回路。
【請求項１０】
請求項１で述べたトランジスタの光エネルギーを電気エネルギーに変換する駆動電気回路に関するものであり、その可変型負電圧回路供給装置（ＶＢ１０１）は、高入力抵抗型トランジスタ（Ｑ１０１）の入力端と正電圧を駆動する信号源との間に直列に設けられているインダクタンス（Ｌ１０１）及びキャパシタンス（Ｃ１０１）のセットを直列し、外部からの信号源または電気エネルギー発光ユニット（ＥＬ１０１）からのカップリングされ選定した出力電圧の光エネルギーを電気エネルギーに変換するユニット（ＰＥ１０１）を制御し、高入力抵抗型トランジスタ（Ｑ１０１）を駆動する正電圧の信号源が中断する場合、高入力抵抗型トランジスタ（Ｑ１０１）と正電圧を駆動する信号源との間に直列に設けられている並列したインダクタンス（Ｌ１０１）及びキャパシタンス（Ｃ１０１）のセットで構成された並列調波振動が高入力抵抗型トランジスタ（Ｑ１０１）の入力端に逆方向負電圧を生じることにより停止する特性を改善可能であり、光エネルギーを電気エネルギーに変換するユニット（ＰＥ１０１）の両端に需要により補助レジスタンス（Ｒ５００）を並列することにより、逆方向負電圧の回路を提供可能であることを特徴とするトランジスタの光エネルギーを電気エネルギーに変換する駆動電気回路。
【請求項１１】
請求項１で述べたトランジスタの光エネルギーを電気エネルギーに変換する駆動電気回路に関するものであり、その可変型負電圧回路供給装置（ＶＢ１０１）は、駆動する信号源と高入力抵抗型トランジスタ（Ｑ１０１）の入力端との間でレジスタンス（Ｒ４００）、ならびにキャパシタンスまたは二次充電放電できる電池で構成された補助蓄電装置（ＥＳＤ１０１）が並列で構成されているレジスタンス及び補助蓄電装置並列セットと直列し、駆動する信号源、ならびにレジスタンス（Ｒ４００）及び補助蓄電装置（ＥＳＤ１０１）の並列セットの接続点の一側に正電圧を駆動する信号源の一端及び補助レジスタンス（Ｒ５００）を並列することにより、駆動する信号源または電気エネルギー発光ユニット（ＥＬ１０１）からのカップリングされ選定した出力電圧の光エネルギーを電気エネルギーに変換するユニット（ＰＥ１０１）を制御して光を受けて発電するため、高入力抵抗型トランジスタ（Ｑ１０１）を駆動する正電圧が生じ、それは高入力抵抗型トランジスタ（Ｑ１０１）を駆動し、同時に補助蓄電装置（ＥＳＤ１０１）の並列セットの中のレジスタンス（Ｒ４００）に電圧低下を発生させ、補助蓄電装置（ＥＳＤ１０１）両端に負電圧を充電可能であり、正電圧の信号源が中断する場合、補助蓄電装置（ＥＳＤ１０１）に貯蔵されている負電圧が補助レジスタンス（Ｒ５００）を経由して高入力抵抗型トランジスタ（Ｑ１０１）の入力端に負電圧を形成することにより、その停止特性を改善可能であることを特徴とするトランジスタの光エネルギーを電気エネルギーに変換する駆動電気回路。
【請求項１２】
請求項１で述べたトランジスタの光エネルギーを電気エネルギーに変換する駆動電気回路に関するものであり、その可変型負電圧回路供給装置（ＶＢ１０１）は、駆動する信号源と高入力抵抗型トランジスタ（Ｑ１０１）の入力端との間でキャパシタンスまたは二次充電放電可能な電池で構成された補助蓄電装置（ＥＳＤ１０１）をツェナーダイオード（ＺＤ１０１）と並列することで、個性化したツェナーダイオード及び補助蓄電装置並列セットを直列し、ツェナーダイオード（ＺＤ１０１）の及び補助蓄電装置（ＥＳＤ１０１）の並列セットの両端と駆動する信号源の一端との間にそれぞれ補助レジスタンス（Ｒ５００及びＲ５００’）を並列することにより、駆動する信号源または電気エネルギー発光ユニット（ＥＬ１０１）からのカップリングされ選定した出力電圧の光エネルギーを電気エネルギーに変換するユニット（ＰＥ１０１）を制御して光を受けて発電するため、高入力抵抗型トランジスタ（Ｑ１０１）を駆動する正電圧が生じ、それは高入力抵抗型トランジスタ（Ｑ１０１）を駆動し、同時にツェナーダイオード（ＺＤ１０１）のツェナー電圧を利用し、補助蓄電装置（ＥＳＤ１０１）の両端に電圧低下を発生させ、補助蓄電装置（ＥＳＤ１０１）の両端に負電圧を充電可能であり、正電圧の信号源が中断する場合、補助蓄電装置（ＥＳＤ１０１）に貯蔵している負電圧が補助レジスタンス（Ｒ５００及びＲ５００’）を経由し高入力抵抗型トランジスタ（Ｑ１０１）の入力端に負電圧を形成し、その停止特性を改善可能であることを特徴とするトランジスタの光エネルギーを電気エネルギーに変換する駆動電気回路。
【請求項１３】
請求項１で述べたトランジスタの光エネルギーを電気エネルギーに変換する駆動電気回路に関するものであり、その可変型負電圧回路供給装置（ＶＢ１０１）は、駆動する信号源と高入力抵抗型トランジスタ（Ｑ１０１）の入力端との間でプレストレスド構造がある圧電効力ユニット（ＰＺ１０１）を並列し、圧電効力ユニットは各種の圧電効力があるユニットを含み、プレストレスド構造を使って、それにプレストレスド圧縮し、負電圧状態のままで高入力抵抗型トランジスタ（Ｑ１０１）へ出力することにより、駆動する信号源または電気エネルギー発光ユニット（ＥＬ１０１）からのカップリングされ選定した出力電圧の光エネルギーを電気エネルギーに変換するユニット（ＰＥ１０１）を制御して光を受けて発電するため、高入力抵抗型トランジスタ（Ｑ１０１）を駆動する正電圧が生じ、それは高入力抵抗型トランジスタ（Ｑ１０１）を駆動し、同時に圧電効力を利用して、圧電効力ユニット（ＰＺ１０１）を圧電効力ユニット（ＰＺ１０１）方向と反対方向に変化させるため、正電圧の信号源が中断する場合、圧電効力ユニット（ＰＺ１０１）がプレストレスドを利用して、高入力抵抗型トランジスタ（Ｑ１０１）の入力端を改めて負電圧の状態にするため、その停止特性を改善可能であることを特徴とするトランジスタの光エネルギーを電気エネルギーに変換する駆動電気回路。
【請求項１４】
請求項１で述べたトランジスタの光エネルギーを電気エネルギーに変換する駆動電気回路に関するものであり、その可変型負電圧回路供給装置（ＶＢ１０１）は、駆動する信号源と高入力抵抗型トランジスタ（Ｑ１０１）の入力端との間に逆極性で選定された出力電圧のある光エネルギーを電気エネルギーに変換するユニット（ＰＥ１０１）を並列し、光エネルギーを電気エネルギーに変換するユニットの両端にキャパシタンスまたは二次充電放電可能な電池で構成されている補助蓄電装置（ＥＳＤ１０１）を並列し、あるいは需要により補助レジスタンス（Ｒ６００）を並列し、駆動信号の入力端に並列された電気エネルギー発光ユニット（ＥＬ１０１）は前記光エネルギーを電気エネルギーに変換するユニット（ＰＥ１０１）とカップリングし、正電圧信号電気エネルギーを入力する場合、高入力抵抗型トランジスタ（Ｑ１０１）を駆動し、電気エネルギー発光ユニット（ＥＬ１０１）も同時に電気を受け、光エネルギーを電気エネルギーに変換するユニット（ＰＥ１０１）が負電圧を生じて出力することを励起し、補助蓄電装置（ＥＳＤ１０１）に充電し、正電圧信号が中断する場合、補助蓄電装置（ＥＳＤ１０１）から高入力抵抗型トランジスタ（Ｑ１０１）の入力端へ負電圧を送ることにより、停止特性を改善可能であることを特徴とするトランジスタの光エネルギーを電気エネルギーに変換する駆動電気回路。
【請求項１５】
請求項１で述べたトランジスタの光エネルギーを電気エネルギーに変換する駆動電気回路に関するものであり、その可変型負電圧回路供給装置（ＶＢ１０１）は、駆動する信号源を使って、電気エネルギー発光ユニット（ＥＬ１０１）を駆動することにより、カップリングされ選定した出力電圧の光エネルギーを電気エネルギーに変換するユニット（ＰＥ１０１）を励起し、光エネルギーを電気エネルギーに変換するユニットと高入力抵抗型トランジスタ（Ｑ１０１）の入力端との間にツェナーダイオードが直列で設けられ、ツェナーダイオード（ＺＤ１０１）の両端にキャパシタンスまたは２次充電放電可能な電池で構成された補助蓄電装置（ＥＳＤ１０１）を並列するため、外部の信号源から電気エネルギーが入力されるとき、電気エネルギー発光ユニット（ＥＬ１０１）からカップリングした光エネルギーを電気エネルギーに変換するユニット（ＰＥ１０１）を制御して光を受けて発電させ、さらにツェナーダイオード（ＺＤ１０１）による高入力抵抗型トランジスタ（Ｑ１０１）を駆動し、ツェナーダイオード（ＺＤ１０１）の両端に並列された補助蓄電装置（ＥＳＤ１０１）に充電するため、正電圧の信号が中断する場合、補助蓄電装置（ＥＳＤ１０１）が高入力抵抗型トランジスタ（Ｑ１０１）の入力端に負電圧を入力することにより、その停止特性を改善し、この回路は需要により光エネルギーを電気エネルギーに変換するユニットの出力端に補助レジスタンス（Ｒ５００）を並列するものであることを特徴とするトランジスタの光エネルギーを電気エネルギーに変換する駆動電気回路。
【請求項１６】
請求項１で述べたトランジスタの光エネルギーを電気エネルギーに変換する駆動電気回路に関するものであり、その可変型負電圧回路供給装置（ＶＢ１０１）は、駆動する信号源を使って、それとカップリングする２セットの逆極性で直列した異なる定格出力電圧の光エネルギーを電気エネルギーに変換するユニット（ＰＥ１０１及びＰＥ１０２）を励起し、光エネルギーを電気エネルギーに変換するユニットの中で高入力抵抗型トランジスタ（Ｑ１０１）の入力端は負電圧入力極性を呈し、定格電圧が比較的に低い光エネルギーを電気エネルギーに変換するユニット（ＰＥ１０２）の二つの出力端にキャパシタンスまたは２次充電放電可能な電池で構成された補助蓄電装置（ＥＳＤ１０１）を並列するため、正電圧信号の電気エネルギーを入力する場合、電気エネルギー発光ユニット（ＥＬ１０１）が光を受けて発光し、それとカップリングした逆方向直列を呈する２セットの光エネルギーを電気エネルギーに変換するユニットは定格出力電圧がより高い光エネルギーを電気エネルギーに変換するユニット（ＰＥ１０１）、ならびに定格出力電圧がより低い光エネルギーを電気エネルギーに変換するユニット（ＰＥ１０２）が同時に光を受けて発電し、この場合、高入力抵抗型トランジスタ（Ｑ１０１）の入力端で光エネルギーを電気エネルギーに変換するユニット（ＰＥ１０１（が光エネルギーを電気エネルギーに変換するユニット（ＰＥ１０２）に電圧差の正電圧入力するため、高入力抵抗型トランジスタ（Ｑ１０１）に導通すると同時に、補助蓄電装置（ＥＳＤ１０１）に負電圧充電を行い、正電圧信号の電気エネルギーが中断する場合、電気エネルギー発光ユニット（ＥＬ１０１）が発光を停止し、この場合、補助蓄電装置（ＥＳＤ１０１）の負電圧電気エネルギーは補助レジスタンス（Ｒ５００）を経由し高入力抵抗型トランジスタ（Ｑ１０１）の入力端へ出力するため、導通停止に協力可能であり、その他回路は需要により補助蓄電装置（ＥＳＤ１０１）の両端に補助レジスタンス（Ｒ５００’）を並列可能であることを特徴とするトランジスタの光エネルギーを電気エネルギーに変換する駆動電気回路。
【請求項１７】
請求項１で述べたトランジスタの光エネルギーを電気エネルギーに変換する駆動電気回路に関するものであり、その可変型負電圧回路供給装置（ＶＢ１０１）は、駆動する信号源を使って、それとカップリングする２セットの逆極性で直列した選定出力電圧の光エネルギーを電気エネルギーに変換するユニット（ＰＥ１０１及びＰＥ１０２）を励起し、２セットの光エネルギーを電気エネルギーに変換するユニットの中で高入力抵抗型トランジスタ（Ｑ１０１）の入力端に負電圧入力極性がある光エネルギーを電気エネルギーに変換するユニット（ＰＥ１０２）を呈し、その二つの出力端でキャパシタンスまたは２次充電放電可能な電池で構成された補助蓄電装置（ＥＳＤ１０１）、ならびにツェナー電圧が光エネルギーを電気エネルギーに変換するユニット（ＰＥ１０１）の定格電圧値より低いツェナーダイオード（ＺＤ１０１）と並列するため、正電圧信号の電気エネルギーを入力する場合、電気エネルギー発光ユニット（ＥＬ１０１）が光を受けて発光し、それとカップリングした逆方向直列を呈する２セットの光エネルギーを電気エネルギーに変換するユニット（ＰＥ１０１及びＰＥ１０２）は同時に光を受けて発電し、この場合、正電圧はツェナーダイオード（ＺＤ１０１）を経由し高入力抵抗型トランジスタ（Ｑ１０１）の入力端に正電圧入力するため、高入力抵抗型トランジスタ（Ｑ１０１）と導通すると同時に、ツェナーダイオード（ＺＤ１０１）の両端に並列する補助蓄電装置（ＥＳＤ１０１）に負電圧充電を行い、正電圧信号の電気エネルギーが中断する場合、電気エネルギー発光ユニット（ＥＬ１０１）が発光を停止し、この場合、補助蓄電装置（ＥＳＤ１０１）の負電圧電気エネルギーは光エネルギーを電気エネルギーに変換するユニット（ＰＥ１０１）の両端に並列し、補助レジスタンス（Ｒ５００）を経由し高入力抵抗型トランジスタ（Ｑ１０１）の入力端へ出力することにより、導通停止に協力可能であることを特徴とするトランジスタの光エネルギーを電気エネルギーに変換する駆動電気回路。
【請求項１８】
請求項１で述べたトランジスタの光エネルギーを電気エネルギーに変換する駆動電気回路に関するものであり、その可変型負電圧回路供給装置（ＶＢ１０１）は、双方向駆動する信号源を使って、２セットの電気エネルギー発光ユニット（ＥＬ１０１及びＥＬ１０２）と、それとカップリングする２セットの逆方向で並列した選定出力電圧の光エネルギーを電気エネルギーに変換するユニット（ＰＥ１０１及びＰＥ１０２）とを駆動することにより、高入力抵抗型トランジスタ（Ｑ１０１）の入力端に入力し、入力する信号源は順方向導通の信号であり、順方向導通の電気エネルギー発光ユニット（ＥＬ１０１）を駆動して光を受けて発光させることにより、それとカップリングした光エネルギーを電気エネルギーに変換するユニット（ＰＥ１０１）が光を受けて発電し、正極性の電気エネルギーを生じ、高入力抵抗型トランジスタ（Ｑ１０１）を駆動して導通に転じさせるため、入力した信号源の正信号が停止して負方向の信号に転じる場合、高入力抵抗型トランジスタへ出力する正極性電気エネルギーが停止し、この場合、停止用のその他の逆方向発光の電気エネルギー発光ユニット（ＥＬ１０２）が発光し、それとカップリングした光エネルギーを電気エネルギーに変換するユニット（ＰＥ１０２）が光を受けて発電し、負極性電気エネルギーを生じ、高入力抵抗型トランジスタ（Ｑ１０１）の入力端へ出力することにより、その停止する特性を改善可能であることを特徴とするトランジスタの光エネルギーを電気エネルギーに変換する駆動電気回路。
【請求項１９】
請求項１で述べたトランジスタの光エネルギーを電気エネルギーに変換する駆動電気回路に関するものであり、その可変型負電圧回路供給装置（ＶＢ１０１）は、双方向駆動する信号源を使って、２セットのそれぞれ設けられている電気エネルギー発光ユニット（ＥＬ１０１及びＥＬ１０２）と、それとカップリングする２セットの逆方向で並列した選定出力電圧の光エネルギーを電気エネルギーに変換するユニット（ＰＥ１０１及びＰＥ１０２）とを駆動することにより、高入力抵抗型トランジスタ（Ｑ１０１）の入力端に入力し、入力する信号源は順方向導通の信号であり、それとマッチングした電気エネルギー発光ユニット（ＥＬ１０１）を駆動して光を受けて発光させることにより、それとカップリングした光エネルギーを電気エネルギーに変換するユニット（ＰＥ１０１）が光を受けて発電し、正極性の電気エネルギーを生じ、高入力抵抗型トランジスタ（Ｑ１０１）を駆動して導通に転じさせるため、入力した信号源の正信号が停止して負方向の信号に転じる場合、高入力抵抗型トランジスタへ出力する正極性電気エネルギーが停止し、この場合、停止用のその他の逆方向発光の電気エネルギー発光ユニット（ＥＬ１０２）が発光することにより、それとカップリングした光エネルギーを電気エネルギーに変換するユニット（ＰＥ１０２）は光を受けて発電し、負極性電気エネルギーを生じ、高入力抵抗型トランジスタ（Ｑ１０１）の入力端へ出力するため、その停止する特性を改善可能であることを特徴とするトランジスタの光エネルギーを電気エネルギーに変換する駆動電気回路。
【請求項２０】
請求項１で述べたトランジスタの光エネルギーを電気エネルギーに変換する駆動電気回路に関するものであり、その可変型負電圧回路供給装置（ＶＢ１０１）は、双方向駆動する信号源を使って、２セットのそれぞれ設けられた電気エネルギー発光ユニット（ＥＬ１０１及びＥＬ１０２）と、それとカップリングする２セットの逆方向で並列した選定出力電圧の光エネルギーを電気エネルギーに変換するユニット（ＰＥ１０１及びＰＥ１０２）とを駆動することにより、高入力抵抗型トランジスタ（Ｑ１０１）の入力端に入力し、入力する信号源は順方向導通の信号であり、それとマッチングした電気エネルギー発光ユニット（ＥＬ１０１）を駆動して光を受けて発光させ、それとカップリングした光エネルギーを電気エネルギーに変換するユニット（ＰＥ１０１）が光を受けて発電し、正極性の電気エネルギーを生じ、高入力抵抗型トランジスタ（Ｑ１０１）を駆動して導通に転じさせるため、入力した信号源の正信号が停止して負方向の信号に転じる場合、高入力抵抗型トランジスタへ出力する正極性電気エネルギーが停止し、この場合、停止用のその他の逆方向発光の電気エネルギー発光ユニット（ＥＬ１０２）が発光することにより、それとカップリングした光エネルギーを電気エネルギーに変換するユニット（ＰＥ１０２）は光を受けて発電し、負極性電気エネルギーを生じ、高入力抵抗型トランジスタ（Ｑ１０１）の入力端へ出力するため、その停止する特性を改善可能であり、２セットの逆方向で直列した光エネルギーを電気エネルギーに変換するユニットの個別の出力端にそれぞれ補助レジスタンス（Ｒ５００またはＲ５００’）を並列可能であり、この２個のレジスタンスは需要により設置を選択可能であることを特徴とするトランジスタの光エネルギーを電気エネルギーに変換する駆動電気回路。
【請求項２１】
請求項１で述べたトランジスタの光エネルギーを電気エネルギーに変換する駆動電気回路に関するものであり、その可変型負電圧回路供給装置（ＶＢ１０１）は、固定電源または駆動する信号源を使って、１セットの電気エネルギー発光ユニット（ＥＬ１０２）を駆動して光エネルギーを生じさせ、それとカップリングした負極性の電気エネルギーを生じさせる光エネルギーを電気エネルギーに変換するユニット（ＰＥ１０２）を励起するため、駆動する信号源が電気エネルギー発光ユニット（ＥＬ１０１）を直接入力または駆動して制御することにより、相対する光エネルギーを生じさせ、それとカップリングした正極性電気エネルギーを生じさせる光エネルギーを電気エネルギーに変換するユニット（ＰＥ１０１）を励起し、高入力抵抗型トランジスタ（Ｑ１０１）の入力端へ出力し、高入力抵抗型トランジスタ（Ｑ１０１）の二つの入力端に補助レジスタンス（Ｒ７００及びＲ７００’）で直列した回路セットを並列し、前記負極性の電気エネルギーを生じさせる光エネルギーを電気エネルギーに変換するユニット（ＰＥ１０２）は逆極性であり、補助レジスタンス（Ｒ７００’）に並列することにより、常に負極性電気エネルギーを入力するため、駆動する信号源が中断する場合、高入力抵抗型トランジスタ（Ｑ１０１）へ出力する正極性電気エネルギーが停止し、この場合、光エネルギーを電気エネルギーに変換するユニット（ＰＥ１０２）より出力した負極性の電気エネルギーを高入力抵抗型トランジスタ（Ｑ１０１）へ出力することにより、その停止する特性を改善可能であり、前記固定電源は主の電源、専用補助電源、またはその他電源回路が共用する補助電源を使用可能であることを特徴とするトランジスタの光エネルギーを電気エネルギーに変換する駆動電気回路。
【請求項２２】
請求項１で述べたトランジスタの光エネルギーを電気エネルギーに変換する駆動電気回路に関するものであり、その可変型負電圧回路供給装置（ＶＢ１０１）は、固定電源または駆動する信号源を使って、１セットの電気エネルギー発光ユニット（ＥＬ１０２）を駆動して光エネルギーを生じさせ、それとカップリングした負極性の電気エネルギーを生じさせる光エネルギーを電気エネルギーに変換するユニット（ＰＥ１０２）を励起するため、駆動する信号源が電気エネルギー発光ユニット（ＥＬ１０１）を直接入力または駆動して制御することにより、それとカップリングした正極性電気エネルギーを生じさせる光エネルギーを電気エネルギーに変換するユニット（ＰＥ１０１）を励起し、高入力抵抗型トランジスタ（Ｑ１０１）の入力端へ出力し、高入力抵抗型トランジスタ（Ｑ１０１）の二つの入力端に補助レジスタンス（Ｒ７００）、ならびに逆極性を呈する電気エネルギーの補助蓄電装置（ＥＳＤ１０１）で構成された直列回路セットを並列し、前記負極性の電気エネルギーを生じさせる光エネルギーを電気エネルギーに変換するユニット（ＰＥ１０２）は逆極性であり、補助蓄電装置（ＥＳＤ１０１）に並列することにより、常に負極性電気エネルギーを入力するため、駆動する信号源が中断する場合、高入力抵抗型トランジスタ（Ｑ１０１）へ出力する正極性電気エネルギーが停止し、この場合、光エネルギーを電気エネルギーに変換するユニット（ＰＥ１０２）より出力した負極性の電気エネルギーを高入力抵抗型トランジスタ（Ｑ１０１）へ出力することにより、その停止する特性を改善可能であり、前記固定電源は主の電源、専用補助電源またはその他電源回路が共用する補助電源を使用可能であり、光エネルギーを電気エネルギーに変換するユニット（ＰＥ１０２）の両端に需要により補助レジスタンス（Ｒ７００’）の設置を選択可能であることを特徴とするトランジスタの光エネルギーを電気エネルギーに変換する駆動電気回路。
【請求項２３】
請求項１で述べたトランジスタの光エネルギーを電気エネルギーに変換する駆動電気回路に関するものであり、その可変型負電圧回路供給装置（ＶＢ１０１）は、固定電源または駆動する信号源を使って、１セットの電気エネルギー発光ユニット（ＥＬ１０２）を駆動して光エネルギーを生じさせることにより、それとカップリングした負極性の電気エネルギーを生じさせる光エネルギーを電気エネルギーに変換するユニット（ＰＥ１０２）を励起するため、駆動する信号源が電気エネルギー発光ユニット（ＥＬ１０１）を直接入力または駆動して制御することにより、それとカップリングした正極性電気エネルギーを生じさせる光エネルギーを電気エネルギーに変換するユニット（ＰＥ１０１）を励起し、光エネルギーを電気エネルギーに変換するユニット（ＰＥ１０１）の二つの出力端に補助レジスタンス（Ｒ７００）を並列し、逆極性を呈する光エネルギーを電気エネルギーに変換するユニット（ＰＥ１０２）を直列し、高入力抵抗型トランジスタ（Ｑ１０１）の入力端へ出力し、前記負極性の電気エネルギーを生じさせる光エネルギーを電気エネルギーに変換するユニット（ＰＥ１０２）の定格出力電圧は光エネルギーを電気エネルギーに変換するユニット（ＰＥ１０２）の定格出力電圧より低く、常に負極性電気エネルギーを入力可能であるため、駆動する信号は高入力抵抗型トランジスタ（Ｑ１０１）の制御を妨害せず、駆動する信号源が中断する場合、高入力抵抗型トランジスタ（Ｑ１０１）へ出力する正極性電気エネルギーが停止し、この場合、負極性の電気エネルギーが高入力抵抗型トランジスタ（Ｑ１０１）へ出力するため、その停止する特性を改善可能であり、前記固定電源は主の電源、専用補助電源またはその他電源回路が共用する補助電源を使用可能であり、光エネルギーを電気エネルギーに変換するユニット（ＰＥ１０２）の両端に需要により補助レジスタンス（Ｒ７００’）の設置を選択可能であることを特徴とするトランジスタの光エネルギーを電気エネルギーに変換する駆動電気回路。
【発明の詳細な説明】
【０００１】
【発明の属する技術分野】
本発明は、トランジスタの光エネルギーを電気エネルギーに変換する駆動電気回路に関するものである。
【０００２】
【従来の技術】
ご存じの通り高入力抵抗型トランジスタ〔例えば、超小型パワー型モス電界効果トランジスタ（ＭＯＳＦＥＴ）またはゲート絶縁型バイポーラトランジスタ（ＩＧＢＴ）〕またはその他高入力抵抗型トランジスタ及びモジュールは、最近発展した電圧を利用して駆動及び制御する固体トランジスタユニットである。それは微電子のロジック運算またはデータを記憶メモリーする回路装置、感知回路装置、またはその他の回路に応用され、固体の高効率スイッチとして使われるため、大変便利であるが、高入力抵抗型トランジスタ〔例えば、超小型パワー型モス電界効果トランジスタ（ＭＯＳＦＥＴ）またはゲート絶縁型バイポーラトランジスタ（ＩＧＢＴ）〕またはその他高入力抵抗型トランジスタ及びモジュールの制御入力端はすべて高抵抗な状態であり、そのマッチングした駆動する信号の電流は小さく（ゼロに近く）、その駆動する電圧が設定値に達しなければ、正常な運転を維持できない。また、ゲートとエミッタとの間の駆動電圧が低すぎると、集電極とエミッタとの間の抵抗が大きくなり、熱損が増大し、焼付けが発生する。この欠点があるため、電圧入力が低い場合の応用は制限されている。図面に示すのは、高入力抵抗型トランジスタの中のゲート絶縁型バイポーラトランジスタ（ＩＧＢＴ）を例とした模式図であり、図面のゲート絶縁型バイポーラトランジスタ（ＩＧＢＴ）の制限はその駆動する信号を１２Ｖ以下に低下しないほうが望ましい。
【０００３】
【発明が解決しようとする課題】
本発明の目的は、トランジスタの光エネルギーを電気エネルギーに変換する駆動電気回路を提供することにある。
【０００４】
【課題を解決するための手段】
本発明の請求項記載のトランジスタの光エネルギーを電気エネルギーに変換する駆動電気回路によると、マッチングした電気発光ユニット（例えば、ＬＥＤまたはランプ及びその他電気エネルギーを光エネルギーへ変換するユニットまたは環境自然光源など）及びカップリングした光エネルギーを電気エネルギーに変換するユニット（例えば、チップ系または非チップ系の光エネルギーを電気エネルギーに変換する電池）などを使って、光を受ける場合に微電流を生じる電圧型駆動電気エネルギーにより高入力抵抗型トランジスタ〔例えば、超小型パワー型モス電界効果トランジスタ（ＭＯＳＦＥＴ）またはゲート絶縁型バイポーラトランジスタ（ＩＧＢＴ）〕またはその他高入力抵抗型トランジスタモジュールのゲート（ＧＡＴＥ）及びエミッタ（ＥＭＩＴＴＥＲ）へ出力する場合、駆動及び導通の目的に使われると同時に、駆動用の正電圧電気エネルギーにより可変型負電圧回路供給装置に電気エネルギーを貯蔵する。それによって、１個または１個以上の高抵抗トランジスタのゲート（ＧＡＴＥ）及びエミッタ（ＥＭＩＴＴＥＲ）へ負電圧を入力できるため、停止に協力できるものである。
【０００５】
つまり、電気エネルギーを使って、発光ユニットまたは環境光源などを駆動することにより、それとカップリングした光エネルギーを電気エネルギーに変換するユニットを励起し、正電圧の電気エネルギーを生じさせ、モス電界効果トランジスタ（ＭＯＳＦＥＴ）、ゲート絶縁型バイポーラトランジスタ（ＩＧＢＴ）またはその他高入力抵抗型トランジスタを駆動すると同時に、正電圧の電気エネルギーが可変型負電圧回路供給装置に電気エネルギーを貯蔵することにより、正電圧の信号が停止する場合、１個または１個以上の高抵抗トランジスタのゲート（ＧＡＴＥ）及びエミッタ（ＥＭＩＴＴＥＲ）へ負電圧を入力できるため、停止に協力できるものである。
【０００６】
【発明の実施の形態】
以下、本発明の実施の形態を図面に基づいて説明する。
図１は、トランジスタの光エネルギーを電気エネルギーに変換する駆動電気回路の基本電気回路の回路図である。その主な構成は下記の通りである。
【０００７】
高入力抵抗型トランジスタＱ１０１：高入力抵抗型トランジスタＱ１０１は１個または１個以上の各種高入力抵抗型トランジスタで構成されたものである。その中に１セット単極性または２セット逆極性の並列式またはブリッジ式モジュールの高入力抵抗型トランジスタ〔例えば、モス電界効果トランジスタ（ＭＯＳＦＥＴ）またはゲート絶縁型バイポーラトランジスタ（ＩＧＢＴ）〕、その他高入力抵抗型トランジスタモジュール及びゲートで構成された能動ユニットまたはロジック運算及びデータ記憶メモリーの回路装置を構成し、感知回路装置を構成し、またはその他の回路を構成することにより、正電圧の電気エネルギーを引き受けて駆動するものであり、または、需要により選定された数の光エネルギーを電気エネルギーに変換するユニットＰＥ１０１を共同または個別マッチングする方式で高入力抵抗型トランジスタを駆動するものなどが含まれるものである。
【０００８】
光エネルギーを電気エネルギーに変換するユニットＰＥ１０１：光を受ける場合に生じるチップ系または非チップ系の光電池またはその他タイプの光ネルギーを電気エネルギーに変換するユニットで構成されたものである。環境自然光源または電気エネルギー発光ユニットＥＬ１０１の光エネルギーを受け、高入力抵抗型トランジスタＱ１０１の最低需要より高い駆動電圧に変換することにより高入力抵抗型トランジスタＱ１０１を駆動するものである。前述の電気エネルギー発光ユニットＥＬ１０１は１個または１個以上の発光ダイオードＬＥＤまたはランプなどの光エネルギーを電気エネルギーに変換するユニットで構成されたものであり、それを光エネルギーを電気エネルギーに変換するユニットＰＥ１０１とマッチングする状態は、その出力される光エネルギーにより光エネルギーを電気エネルギーに変換するユニットＰＥ１０１に最低需要の駆動電圧を生じるものであり、また、１個または１個以上の電気エネルギー発光ユニットＥＬ１０１を使って光エネルギーを電気エネルギーに変換するユニットＰＥ１０１を駆動し、１個または１個以上の電気エネルギー発光ユニットＥＬ１０１を使って、共同で光エネルギーを電気エネルギーに変換するユニットＰＥ１０１を駆動し、または、２個または２個以上の電気エネルギー発光ユニットＥＬ１０１を使ってそれぞれ光エネルギーを電気エネルギーに変換するユニットＰＥ１０１を独立の方式で駆動し、または２個または２個以上の電気エネルギー発光ユニットＥＬ１０１を使って、同時に２個または２個以上の光エネルギーを電気エネルギーに変換するユニットＰＥ１０１を駆動するものである。この電気エネルギー発光ユニットＥＬ１０１は回路の需要により１個または１個以上を設置することまたは設置しないことを選択できるものである。
【０００９】
可変型負電圧回路供給装置ＶＢ１０１：固体または機電式ユニットで構成され、停止する時に負電圧を供給して、高入力抵抗型トランジスタＱ１０１の制御ゲート及びエミッタへ出力することにより、高入力抵抗型トランジスタＱ１０１の停止に協力できるものである。正電圧電力エネルギーを駆動する制御信号を受信する場合または光エネルギーを電気エネルギーに変換するユニットＰＥ１０１が電気エネルギー発光ユニットＥＬ１０１または環境自然光源を受けて正電圧を生じて高入力抵抗型トランジスタＱ１０１を駆動する場合、可変型負電圧回路供給装置ＶＢ１０１は同時に入力された正電圧信号の電気エネルギーを利用して、負電圧を貯蔵できるため、高入力抵抗型トランジスタＱ１０１へ出力する正電圧信号が中断する場合、可変型負電圧回路供給装置ＶＢ１０１より高入力抵抗型トランジスタＱ１０１の制御ゲート及びエミッタへ負電圧を入力することにより、停止する場合、電力エネルギーを供給できる。この可変型負電圧回路供給装置ＶＢ１０１の負電圧電気エネルギーで光エネルギーが電気エネルギーに変換するユニットを使用できる。それは共同の光エネルギーを電気エネルギーに変換するユニットＰＥ１０１、独立で設置された光エネルギーを電気エネルギーに変換するユニットＰＥ１０２またはその他の駆動信号源からの正電圧電気エネルギーを含む。また、その負電圧貯蔵エネルギーは機電変換機能ユニット、インダクタンスユニット、キャパシタンスユニット、充電放電できる二次電池、スーパーキャパシタンスまたはその他タイプの電気エネルギー貯蔵装置で構成されている。それによって高入力抵抗型トランジスタＱ１０１を駆動する正電圧の電気エネルギーを貯蔵できるものである。
【００１０】
負荷ユニットＬＤ１０１：その中に電気エネルギーを入力することで機械エネルギー、光、熱または電気化学効力を生じる負荷、その他抵抗性、キャパシタンス、インダクタンスなどの負荷、トランジスタ、ダイオード、その他各種の固体電子または機電式負荷ユニットで構成され、パワー負荷またはパワー増幅機能としての回路負荷、信号送受信としての負荷、データの記憶の読み取りと削除と運算としての負荷または感知回路装置またはその他の回路負荷が含まれているものであり、それによって高入力抵抗型トランジスタＱ１０１の制御を受けるものである。
【００１１】
上述のユニットの組合せによる高入力抵抗型トランジスタ〔例えば、超小型パワー型モス電界効果トランジスタ（ＭＯＳＦＥＴ）またはゲート絶縁型バイポーラトランジスタ（ＩＧＢＴ）〕またはその他高入力抵抗型トランジスタ及びモジュールのゲートとエミッタとの間に、正常に光を受ける状態で光エネルギーを電気エネルギーに変換できるユニットＰＥ１０１及び可変型負電圧回路供給装置ＶＢ１０１が並列で設けられ、また、光エネルギーを電気エネルギーに変換するユニットＰＥ１０１とカップリングさせる電気エネルギー発光ユニットＥＬ１０１（例えば、発光ダイオードまたはランプなど）を設置することにより、電気エネルギー発光ユニットＥＬ１０１が発光する場合または環境光源で光エネルギーを電気エネルギーに変換するユニットＰＥ１０１を励起する場合、相対する駆動電圧信号が生じ、高入力抵抗型トランジスタＱ１０１を駆動するものである。
【００１２】
このトランジスタの光エネルギーを電気エネルギーに変換する構造は下記の通りである。
（１）電気エネルギー発光ユニットＥＬ１０１、光エネルギーを電気エネルギーに変換するユニットＰＥ１０１及び可変型負電圧回路供給装置ＶＢ１０１は、構造の需要により独立構造で相互にカップリングまたは部分的または全体が相互にカップリングする密封状態を呈するものである。
【００１３】
（２）電気エネルギー発光ユニットＥＬ１０１、光エネルギーを電気エネルギーに変換するユニットＰＥ１０１及び可変型負電圧回路供給装置ＶＢ１０１は、構造の需要により部分的または全体が高入力抵抗型トランジスタＱ１０１と分離設置または一体であるモジュール構造を呈するものである。
【００１４】
（３）その各種の関連する回路ユニットは、集積回路、回路基板、直接接続の開放式構造、または混合構造を使うことができるものである。
（４）上述の（１）及び（２）の電気エネルギー発光ユニットＥＬ１０１を駆動する電源は、交流または直流電流を使ってランプを駆動するユニット、直流電気エネルギーを使って発光ダイオードＬＥＤを駆動するユニット、またはレーザ光源またはその他電気エネルギーを使って電気エネルギーを励起する発光ユニットで構成されている。または、環境自然光源を使用するものである。
【００１５】
このトランジスタの光エネルギーを電気エネルギーに変換する駆動電気回路の中の可変型負電圧回路供給装置ＶＢ１０１の主要な構成する特徴は、機電ユニットまたは固体ユニットの組合せにより、各種の駆動の正電圧信号の電気エネルギーを同時に可変型負電圧回路供給装置ＶＢ１０１に転じて貯蔵し、高入力抵抗型トランジスタＱ１０１が停止する場合、停止に協力する負電圧の電源として使われるものである。その特徴は、電気エネルギー発光ユニットの光を受け、発光する光エネルギーを使って、光エネルギーを電気エネルギーに変換するユニットＰＥ１０１及び光エネルギーを電気エネルギーに変換するユニットＰＥ１０２を励起し、高入力抵抗型トランジスタが必要とする正電圧の電気エネルギーを生じさせると同時に、可変型負電圧回路供給装置ＶＢ１０１に貯蔵し、高入力抵抗型トランジスタＱ１０１が停止する場合、停止に協力する負電圧の電源として使われるものである。可変型負電圧回路供給装置ＶＢ１０１の回路構造の実施例は非常に多いため、下記に実施例を挙げて、その実行可能性を証明するが、それによるその構成範囲が制限されるものではない。その回路構造は下記の通りである。
【００１６】
ａ．図２は、本実施例の並列したインダクタンスで構成されている可変型負電圧回路供給装置である。高入力抵抗型トランジスタＱ１０１の入力端をインダクタンスＬ１０１と並列し、外部からの信号源または電気エネルギー発光ユニットＥＬ１０１からのカップリングされた選定した出力電圧の光エネルギーを電気エネルギーに変換するユニットＰＥ１０１を制御することにより、高入力抵抗型トランジスタＱ１０１を駆動する正電圧の信号源が中断する場合、インダクタンスＬ１０１が高入力抵抗型トランジスタＱ１０１の入力端に逆方向負電圧を生じることにより、停止する特性を改善できるものである。
【００１７】
ｂ．図３は、本実施例の並列したインダクタンス及びキャパシタンスセットで構成されている可変型負電圧回路供給装置である。高入力抵抗型トランジスタＱ１０１の入力端をインダクタンスＬ１０１及びキャパシタンスＣ１０１セットと並列し、外部からの信号源または電気エネルギー発光ユニットＥＬ１０１からのカップリングされた選定した出力電圧の光エネルギーを電気エネルギーに変換するユニットＰＥ１０１を制御することにより、高入力抵抗型トランジスタＱ１０１を駆動する正電圧の信号源が中断する場合、並列されたインダクタンスＬ１０１及びキャパシタンスＣ１０１セットが高入力抵抗型トランジスタＱ１０１の入力端に逆方向負電圧を生じることにより、停止する特性を改善できるものである。
【００１８】
ｃ．図４は、本実施例の直列したインダクタンスで構成されている可変型負電圧回路供給装置である。高入力抵抗型トランジスタＱ１０１の入力端と正電圧を駆動する信号源との間にインダクタンスＬ１０１を直列し、外部からの信号源または電気エネルギー発光ユニットＥＬ１０１からのカップリングされた選定した出力電圧の光エネルギーを電気エネルギーに変換するユニットＰＥ１０１を制御することにより、高入力抵抗型トランジスタＱ１０１を駆動する正電圧の信号源が中断する場合、高入力抵抗型トランジスタＱ１０１と正電圧を駆動する信号源との間に直列されたインダクタンスＬ１０１が高入力抵抗型トランジスタＱ１０１の入力端に逆方向負電圧を生じることにより停止する特性を改善できるものである。また、光エネルギーを電気エネルギーに変換するユニットＰＥ１０１の両端に需要により補助レジスタンスＲ５００を並列することにより、逆方向負電圧の回路を提供できるものである。
【００１９】
ｄ．図５は、本実施例の直列で設けた並列を呈するインダクタンス及びキャパシタンスで構成されている可変型負電圧回路供給装置である。高入力抵抗型トランジスタＱ１０１の入力端と正電圧を駆動する信号源との間に直列で設けられているインダクタンスＬ１０１及びキャパシタンスＣ１０１セットを直列し、外部からの信号源または電気エネルギー発光ユニットＥＬ１０１からのカップリングされた選定した出力電圧の光エネルギーを電気エネルギーに変換するユニットＰＥ１０１を制御することにより、高入力抵抗型トランジスタＱ１０１を駆動する正電圧の信号源が中断する場合、高入力抵抗型トランジスタＱ１０１と正電圧を駆動する信号源との間に直列で設けられている並列したインダクタンスＬ１０１及びキャパシタンスＣ１０１セットで構成された並列調波振動が高入力抵抗型トランジスタＱ１０１の入力端に逆方向負電圧を生じることにより、停止する特性を改善できるものである。また、光エネルギーを電気エネルギーに変換するユニットＰＥ１０１の両端に需要により補助レジスタンスＲ５００を並列することにより、逆方向負電圧の回路を提供できるものである。
【００２０】
ｅ．図６は、本実施例のレジスタンス及び補助蓄電装置が直列で設けられている可変型負電圧回路供給装置である。駆動する信号源と高入力抵抗型トランジスタＱ１０１の入力端との間でレジスタンスＲ４００及びキャパシタンスまたは二次充電放電できる電池で構成された補助蓄電装置ＥＳＤ１０１を並列で構成されているレジスタンス及び補助蓄電装置並列セットと直列し、駆動する信号源の一端とレジスタンスＲ４００の接続点または補助蓄電装置ＥＳＤ１０１並列セットの接続点とに正電圧を駆動する信号源の他端と補助レジスタンスＲ５００とを並列することにより、駆動する信号源または電気エネルギー発光ユニットＥＬ１０１からのカップリングされた選定した出力電圧の光エネルギーを電気エネルギーに変換するユニットＰＥ１０１を制御して光を受けて発電するため、高入力抵抗型トランジスタＱ１０１を駆動する正電圧が生じ、それは高入力抵抗型トランジスタＱ１０１を駆動し、同時に補助蓄電装置ＥＳＤ１０１並列セットの中でレジスタンスＲ４００に電圧低下を発生させ、補助蓄電装置ＥＳＤ１０１両端に負電圧を充電できるため、正電圧の信号源が中断する場合、補助蓄電装置ＥＳＤ１０１に貯蔵している負電圧が補助レジスタンスＲ５００を経由して高入力抵抗型トランジスタＱ１０１の入力端に負電圧を形成することにより、その停止特性を改善できるものである。
【００２１】
ｆ．図７は、本実施例のツェナーダイオード及び補助蓄電装置が直列で設けられている可変型負電圧回路供給装置である。駆動する信号源の一端と高入力抵抗型トランジスタＱ１０１の入力端との間でキャパシタンスまたは二次充電放電できる電池で構成された補助蓄電装置ＥＳＤ１０１をツェナーダイオードＺＤ１０１と並列することで個性化したツェナーダイオード及び補助蓄電装置並列セットを直列する。ツェナーダイオードＺＤ１０１の端部及び補助蓄電装置ＥＳＤ１０１並列セットの端部と駆動する信号源の他端との間にそれぞれ補助レジスタンスＲ５００及びＲ５００’を並列することにより、駆動する信号源または電気エネルギー発光ユニットＥＬ１０１からのカップリングされた選定した出力電圧の光エネルギーを電気エネルギーに変換するユニットＰＥ１０１を制御して光を受けて発電するため、高入力抵抗型トランジスタＱ１０１を駆動する正電圧が生じ、それは高入力抵抗型トランジスタＱ１０１を駆動し、同時にツェナーダイオードＺＤ１０１のツェナー電圧を利用し、補助蓄電装置ＥＳＤ１０１の両端に電圧低下を発生させ、補助蓄電装置ＥＳＤ１０１両端に負電圧を充電できるため、正電圧の信号源が中断する場合、補助蓄電装置ＥＳＤ１０１に貯蔵している負電圧が補助レジスタンスＲ５００及びＲ５００’を経由し高入力抵抗型トランジスタＱ１０１の入力端に負電圧を形成し、その停止特性を改善できるものである。
【００２２】
ｇ．図８は、本実施例のプレストレスド構造のある圧電効力ユニットを並列することで構成されている可変型負電圧回路供給装置である。駆動する信号源と高入力抵抗型トランジスタＱ１０１の入力端との間にプレストレスド構造がある圧電効力ユニットＰＺ１０１を並列し、この圧電効力ユニットは各種の圧電効力があるユニットを含み、プレストレスド構造を使って、それにプレストレスド圧縮し、負電圧状態のままで高入力抵抗型トランジスタＱ１０１へ出力することにより、駆動する信号源または電気エネルギー発光ユニットＥＬ１０１からのカップリングされた選定した出力電圧の光エネルギーを電気エネルギーに変換するユニットＰＥ１０１を制御して光を受けて発電するため、高入力抵抗型トランジスタＱ１０１を駆動する正電圧が生じ、それは高入力抵抗型トランジスタＱ１０１を駆動し、同時に圧電効力を利用して、圧電効力ユニットＰＺ１０１を圧電効力ユニットＰＺ１０１方向と反対方向に変化させるため、正電圧の信号源が中断する場合、圧電効力ユニットＰＺ１０１がプレストレスドを利用して、高入力抵抗型トランジスタＱ１０１の入力端を改めて負電圧の状態にするため、その停止特性を改善できるものである。
【００２３】
ｈ．図９は、本実施例の駆動する信号と逆極性で直列している光エネルギーを電気エネルギーに変換するユニットで構成されている可変型負電圧回路供給装置ある。駆動する信号源と高入力抵抗型トランジスタＱ１０１の入力端との間に逆極性で選定された出力電圧がある光エネルギーを電気エネルギーに変換するユニットＰＥ１０１を並列し、光エネルギーを電気エネルギーに変換するユニットの両端にキャパシタンスまたは二次充電放電できる電池で構成されている補助蓄電装置ＥＳＤ１０１を並列し、需要により補助レジスタンスＲ６００を並列する。また、駆動信号の入力端に並列された電気エネルギー発光ユニットＥＬ１０１は前述の光エネルギーを電気エネルギーに変換するユニットＰＥ１０１とカップリングするものである。正電圧信号電気エネルギーを入力する場合、高入力抵抗型トランジスタＱ１０１を駆動し、電気エネルギー発光ユニットＥＬ１０１も同時に電気を受け、光エネルギーを電気エネルギーに変換するユニットＰＥ１０１が負電圧を生じて出力することを励起し、また、補助蓄電装置ＥＳＤ１０１に充電し、正電圧信号が中断する場合、補助蓄電装置ＥＳＤ１０１から高入力抵抗型トランジスタＱ１０１の入力端へ負電圧を送ることにより、停止特性を改善できるものである。
【００２４】
ｉ．図１０は、本実施例の電気エネルギー発光ユニットでカップリングされた光エネルギーを電気エネルギーに変換するユニットの入力端にツェナーダイオードを直列することにより構成されている可変型負電圧回路供給装置である。駆動する信号源を使って、電気エネルギー発光ユニットＥＬ１０１を駆動することにより、カップリングされた選定した出力電圧の光エネルギーを電気エネルギーに変換するユニットＰＥ１０１を励起し、光エネルギーを電気エネルギーに変換するユニットと高入力抵抗型トランジスタＱ１０１の入力端との間にツェナーダイオードが直列で設けられ、また、ツェナーダイオードＺＤ１０１の両端にキャパシタンスまたは２次充電放電できる電池で構成された補助蓄電装置ＥＳＤ１０１を並列するため、外部の信号源から電気エネルギーが入力されるとき、電気エネルギー発光ユニットＥＬ１０１からカップリングした光エネルギーを電気エネルギーに変換するユニットＰＥ１０１を制御して、光を受けて発電させる。さらに、ツェナーダイオードＺＤ１０１による高入力抵抗型トランジスタＱ１０１を駆動し、ツェナーダイオードＺＤ１０１の両端に並列された補助蓄電装置ＥＳＤ１０１に充電するため、正電圧の信号が中断する場合、補助蓄電装置ＥＳＤ１０１が高入力抵抗型トランジスタＱ１０１の入力端に負電圧を入力することにより、その停止特性を改善するものである。この回路は需要により光エネルギーを電気エネルギーに変換するユニットの出力端に補助レジスタンスＲ５００を並列するものである。
【００２５】
ｊ．図１１は、本実施例の信号電源の電気エネルギー発光ユニットを使って、同時にそれとカップリングする２セットの逆極性で直列した光エネルギーを電気エネルギーに変換するユニットを励起し、負電圧の貯蔵する装置が設けられている第一回路例である。駆動する信号源を使って、それとカップリングする逆極性で直列した異なる定格出力電圧の光エネルギーを電気エネルギーに変換するユニットＰＥ１０１及び電気エネルギーに変換するユニットＰＥ１０２を励起する。光エネルギーを電気エネルギーに変換するユニットの中で高入力抵抗型トランジスタＱ１０１の入力端は負電圧入力極性を呈する。定格電圧が比較的に低い光エネルギーを電気エネルギーに変換するユニットＰＥ１０２の二つの出力端にキャパシタンスまたは２次充電放電できる電池で構成された補助蓄電装置ＥＳＤ１０１を並列するため、正電圧信号の電気エネルギーを入力する場合、電気エネルギー発光ユニットＥＬ１０１が光を受けて発光する。それとカップリングした逆方向直列を呈する２セットの光エネルギーを電気エネルギーに変換するユニットは定格出力電圧がより高い光エネルギーを電気エネルギーに変換するユニットＰＥ１０１及び定格出力電圧がより低い光エネルギーを電気エネルギーに変換するユニットＰＥ１０２が同時に光を受けて発電する。この場合、高入力抵抗型トランジスタＱ１０１の入力端で光エネルギーを電気エネルギーに変換するユニットＰＥ１０１が光エネルギーを電気エネルギーに変換するユニットＰＥ１０２に電圧差の正電圧入力するため、高入力抵抗型トランジスタＱ１０１と導通させると同時に、補助蓄電装置ＥＳＤ１０１に負電圧充電を行う。また、正電圧信号の電気エネルギーが中断する場合、電気エネルギー発光ユニットＥＬ１０１が発光を停止する。この場合、補助蓄電装置ＥＳＤ１０１の負電圧電気エネルギーは補助レジスタンスＲ５００を経由し高入力抵抗型トランジスタＱ１０１の入力端へ出力するため、導通停止に協力できるものである。その他回路は需要により補助蓄電装置ＥＳＤ１０１の両端に補助レジスタンスＲ５００’を並列できるものである。
【００２６】
ｋ．図１２は、本実施例の信号電源の電気エネルギー発光ユニットを使って、同時にそれとカップリングする２セットの逆極性で直列した光エネルギーを電気エネルギーに変換するユニットを励起し、負電圧の貯蔵する装置が設けられている第二回路例である。駆動する信号源を使って、それとカップリングする逆極性で直列した選定出力電圧の光エネルギーを電気エネルギーに変換するユニットＰＥ１０１及び光エネルギーを電気エネルギーに変換するユニットＰＥ１０２を励起する。２セットの光エネルギーを電気エネルギーに変換するユニットの中で高入力抵抗型トランジスタＱ１０１の入力端に負電圧入力極性がある光エネルギーを電気エネルギーに変換するユニットＰＥ１０２を呈する。その二つの出力端でキャパシタンスまたは２次充電放電できる電池で構成された補助蓄電装置ＥＳＤ１０１及びツェナー電圧が光エネルギーを電気エネルギーに変換するユニットＰＥ１０１の定格電圧値より低いツェナーダイオードＺＤ１０１を並列するため、正電圧信号の電気エネルギーを入力する場合、電気エネルギー発光ユニットＥＬ１０１が光を受けて発光する。それとカップリングした逆方向直列を呈する２セットの光エネルギーを電気エネルギーに変換するユニットＰＥ１０１及び光エネルギーを電気エネルギーに変換するユニットＰＥ１０２は同時に光を受けて発電する。この場合、正電圧はツェナーダイオードＺＤ１０１を経由し高入力抵抗型トランジスタＱ１０１の入力端に正電圧入力するため、高入力抵抗型トランジスタＱ１０１と導通させると同時に、ツェナーダイオードＺＤ１０１の両端に並列する補助蓄電装置ＥＳＤ１０１に負電圧充電を行う。また、正電圧信号の電気エネルギーが中断する場合、電気エネルギー発光ユニットＥＬ１０１が発光を停止する。この場合、補助蓄電装置ＥＳＤ１０１の負電圧電気エネルギーは光エネルギーを電気エネルギーに変換するユニットＰＥ１０１の両端に並列し、補助レジスタンスＲ５００を経由し高入力抵抗型トランジスタＱ１０１の入力端へ出力することにより、導通停止に協力できるものである。
【００２７】
ｌ．図１３は、本実施例の２セットの電気エネルギーの極性で駆動を選ぶ電気エネルギー発光ユニットを利用して、２セットの逆極性で並列した光エネルギーを電気エネルギーに変換するユニットとマッチングする実施例である。双方向駆動する信号源を使って、電気エネルギー発光ユニットＥＬ１０１及び電気エネルギー発光ユニットＥＬ１０２と、それとカップリングする逆方向で並列した選定出力電圧の光エネルギーを電気エネルギーに変換するユニットＰＥ１０１及びエネルギーを電気エネルギーに変換するＰＥ１０２とを駆動することにより、高入力抵抗型トランジスタＱ１０１の入力端に入力する。入力する信号源は順方向導通の信号であり、順方向導通の電気エネルギー発光ユニットＥＬ１０１を駆動し、光を受けて発光させることにより、それとカップリングした光エネルギーを電気エネルギーに変換するユニットＰＥ１０１が光を受けて発電し、正極性の電気エネルギーを生じ、高入力抵抗型トランジスタＱ１０１を駆動して導通に転じさせるため、入力した信号源の正信号が停止して負方向の信号に転じる場合、高入力抵抗型トランジスタへ出力する正極性電気エネルギーが停止する。この場合、停止用のその他の逆方向発光の電気エネルギー発光ユニットＥＬ１０２が発光し、それとカップリングした光エネルギーを電気エネルギーに変換するユニットＰＥ１０２が光を受けて発電し、負極性電気エネルギーを生じ、高入力抵抗型トランジスタＱ１０１の入力端へ出力することにより、その停止する特性を改善できるものである。
【００２８】
ｍ．図１４は、本実施例の２セットの個別の電気エネルギー発光ユニット及び２セットの発光ユニットを利用して、２セットの逆極性で並列した光エネルギーを電気エネルギーに変換するユニットを制御する実施例である。双方向駆動する信号源を使って、それぞれ設けられている電気エネルギー発光ユニットＥＬ１０１及び電気エネルギー発光ユニットＥＬ１０２と、それとカップリングする逆方向で並列した選定出力電圧の光エネルギーを電気エネルギーに変換するユニットＰＥ１０１及び光エネルギーを電気エネルギーに変換するユニットＰＥ１０２とを駆動することにより、高入力抵抗型トランジスタＱ１０１の入力端に入力する。入力する信号源は順方向導通の信号であり、それとマッチングした電気エネルギー発光ユニットＥＬ１０１を駆動して光を受けて発光させることにより、それとカップリングした光エネルギーを電気エネルギーに変換するユニットＰＥ１０１が光を受けて発電し、正極性の電気エネルギーを生じ、高入力抵抗型トランジスタＱ１０１を駆動して導通に転じさせるため、入力した信号源の正信号が停止して負方向の信号に転じる場合、高入力抵抗型トランジスタへ出力する正極性電気エネルギーが停止する。この場合、停止用のその他の逆方向発光の電気エネルギー発光ユニットＥＬ１０２が発光することにより、それとカップリングした光エネルギーを電気エネルギーに変換するユニットＰＥ１０２は光を受けて発電し、負極性電気エネルギーを生じ、高入力抵抗型トランジスタＱ１０１の入力端へ出力するため、その停止する特性を改善できるものである。
【００２９】
ｎ．図１５  は、本実施例の２セットの個別の電気エネルギー発光ユニット及び２セットの発光ユニットを利用して、２セットの逆極性光エネルギーを電気エネルギーに変換するユニットを制御する実施例である。双方向駆動する信号源を使って、それぞれ設けられた電気エネルギー発光ユニットＥＬ１０１及び電気エネルギー発光ユニットＥＬ１０２と、それとカップリングする逆方向で並列した選定出力電圧の光エネルギーを電気エネルギーに変換するユニットＰＥ１０１及び光エネルギーを電気エネルギーに変換するユニットＰＥ１０２とを駆動することにより、高入力抵抗型トランジスタＱ１０１の入力端に入力する。入力する信号源は順方向導通の信号であり、それとマッチングした電気エネルギー発光ユニットＥＬ１０１を駆動して光を受けて発光させ、それとカップリングした光エネルギーを電気エネルギーに変換するユニットＰＥ１０１が光を受けて発電し、正極性の電気エネルギーを生じ、高入力抵抗型トランジスタＱ１０１を駆動して導通に転じさせるため、入力した信号源の正信号が停止して負方向の信号に転じる場合、高入力抵抗型トランジスタへ出力する正極性電気エネルギーが停止する。この場合、停止用のその他の逆方向発光の電気エネルギー発光ユニットＥＬ１０２が発光することにより、それとカップリングした光エネルギーを電気エネルギーに変換するユニットＰＥ１０２は光を受けて発電し、負極性電気エネルギーを生じ、高入力抵抗型トランジスタＱ１０１の入力端へ出力するため、その停止する特性を改善できるものである。また、２セットの逆方向で直列した光エネルギーを電気エネルギーに変換するユニットの個別の出力端にそれぞれ補助レジスタンスＲ５００または補助レジスタンスＲ５００’を並列できるが、この２個のレジスタンスは需要により設置を選択できるものである。
【００３０】
ｏ．図１６  は、本実施例の負極性の電源がある構造の第一実施例である。固定の電源または駆動する信号源を使って、１セットの電気エネルギー発光ユニットＥＬ１０２を駆動して光エネルギーを生じさせ、それとカップリングした負極性電気エネルギーを生じさせる光エネルギーを電気エネルギーに変換するユニットＰＥ１０２を励起するため、駆動する信号源が電気エネルギー発光ユニットＥＬ１０１を直接入力または駆動して制御することにより、相対する光エネルギーを生じさせ、それとカップリングした正極性電気エネルギーを生じさせる光エネルギーを電気エネルギーに変換するユニットＰＥ１０１を励起し、高入力抵抗型トランジスタＱ１０１の入力端へ出力する。また、高入力抵抗型トランジスタＱ１０１の二つの入力端に補助レジスタンスＲ７００及び補助レジスタンスＲ７００’を直列した回路セットを並列する。前述の負極性の電気エネルギーを生じさせる光エネルギーを電気エネルギーに変換するユニットＰＥ１０２は逆極性であり、補助レジスタンスＲ７００’に並列することにより、常に負極性電気エネルギーを入力するため、駆動する信号源が中断する場合、高入力抵抗型トランジスタＱ１０１へ出力する正極性電気エネルギーが停止し、この場合、光エネルギーを電気エネルギーに変換するユニットＰＥ１０２より出力した負極性の電気エネルギーを高入力抵抗型トランジスタＱ１０１へ出力することにより、その停止する特性を改善できるものである。前述の固定電源は主の電源、専用補助電源、またはその他電源回路が共用する補助電源を使用できるものである。
【００３１】
ｐ．図１７は、本実施例の負極性の電源がある構造の第二実施例である。固定の電源または駆動する信号源を使って、１セットの電気エネルギー発光ユニットＥＬ１０２を駆動して光エネルギーを生じさせ、それとカップリングした負極性電気エネルギーを生じさせる光エネルギーを電気エネルギーに変換するユニットＰＥ１０２を励起するため、駆動する信号源が電気エネルギー発光ユニットＥＬ１０１を直接入力または駆動して制御することにより、それとカップリングした正極性電気エネルギーを生じさせる光エネルギーを電気エネルギーに変換するユニットＰＥ１０１を励起し、高入力抵抗型トランジスタＱ１０１の入力端へ出力する。また、高入力抵抗型トランジスタＱ１０１の二つの入力端に補助レジスタンスＲ７００及び逆極性を呈する電気エネルギーの補助蓄電装置ＥＳＤ１０１で構成された直列回路セットを並列する。前述の負極性の電気エネルギーを生じさせる光エネルギーを電気エネルギーに変換するユニットＰＥ１０２は逆極性であり、補助蓄電装置ＥＳＤ１０１に並列することにより、常に負極性電気エネルギーを入力するため、駆動する信号源が中断する場合、高入力抵抗型トランジスタＱ１０１へ出力する正極性電気エネルギーが停止する。この場合、光エネルギーを電気エネルギーに変換するユニットＰＥ１０２より出力した負極性の電気エネルギーを高入力抵抗型トランジスタＱ１０１へ出力することにより、その停止する特性を改善できるものである。前述の固定電源は主の電源、専用補助電源またはその他電源回路が共用する補助電源を使用できるものである。また、光エネルギーを電気エネルギーに変換するユニットＰＥ１０２の両端に需要により補助レジスタンスＲ７００’の設置を選択できるものである。
【００３２】
ｑ．図１８は、本実施例の負極性の電源がある構造の第二実施例である。固定の電源または駆動する信号源を使って、１セットの電気エネルギー発光ユニットＥＬ１０２を駆動して光エネルギーを生じさせることにより、それとカップリングした負極性電気エネルギーを生じさせる光エネルギーを電気エネルギーに変換するユニットＰＥ１０２を励起するため、駆動する信号源が電気エネルギー発光ユニットＥＬ１０１を直接入力または駆動して制御することにより、それとカップリングした正極性電気エネルギーを生じさせる光エネルギーを電気エネルギーに変換するユニットＰＥ１０１を励起する。光エネルギーを電気エネルギーに変換するユニットＰＥ１０１の二つの出力端に補助レジスタンスＲ７００を並列し、逆極性を呈する光エネルギーを電気エネルギーに変換するユニットＰＥ１０２を直列し、高入力抵抗型トランジスタＱ１０１の入力端へ出力する。前述の負極性の電気エネルギーを生じさせる光エネルギーを電気エネルギーに変換するユニットＰＥ１０２の定格出力電圧は光エネルギーを電気エネルギーに変換するユニットＰＥ１０２定格出力電圧より低く、常に負極性電気エネルギーを入力できるため、駆動する信号は高入力抵抗型トランジスタＱ１０１の制御を妨害しない。また、駆動する信号源が中断する場合、高入力抵抗型トランジスタＱ１０１へ出力する正極性電気エネルギーが停止する。この場合、負極性の電気エネルギーを高入力抵抗型トランジスタＱ１０１へ出力するため、その停止する特性を改善できるものである。前述の固定電源は主の電源、専用補助電源またはその他電源回路が共用する補助電源を使用できるものである。また、光エネルギーを電気エネルギーに変換するユニットＰＥ１０２の両端に需要により補助レジスタンスＲ７００’の設置を選択できるものである。
【００３３】
上述によるこのトランジスタの光エネルギーを電気エネルギーに変換する駆動電気回路は、電気エネルギー発光ユニットまたは環境自然光源を操作光源として、そのカップリングした光を受ける状態で生じる駆動電圧の光エネルギーを電気エネルギーに変換するユニット及びそれと配合する可変型負電圧回路供給装置ＶＢ１０１を制御し、高入力抵抗型トランジスタ〔例えば、超小型パワー型モス電界効果トランジスタ（ＭＯＳＦＥＴ）またはゲート絶縁型バイポーラトランジスタ（ＩＧＢＴ）〕またはその他高入力抵抗型トランジスタ及びモジュールの前置き駆動する回路を構成していることにより、高入力抵抗型トランジスタ〔例えば、超小型パワー型モス電界効果トランジスタ（ＭＯＳＦＥＴ）またはゲート絶縁型バイポーラトランジスタ（ＩＧＢＴ）〕またはその他高入力抵抗型トランジスタ及びモジュールが駆動の入力または停止を制御及び運転することがその特徴である。
【図面の簡単な説明】
【図１】本発明の一実施例によるトランジスタの光エネルギーを電気エネルギーに変換する駆動電気回路の基本電気回路を示す回路図である。
【図２】本発明の一実施例によるトランジスタの光エネルギーを電気エネルギーに変換する駆動電気回路の並列したインダクタンスで構成されている可変型負電圧回路供給装置を示す回路図である。
【図３】本発明の一実施例によるトランジスタの光エネルギーを電気エネルギーに変換する駆動電気回路の並列したインダクタンス及びキャパシタンスセットで構成されている可変型負電圧回路供給装置を示す回路図である。
【図４】本発明の一実施例によるトランジスタの光エネルギーを電気エネルギーに変換する駆動電気回路の直列したインダクタンスで構成されている可変型負電圧回路供給装置を示す回路図である。
【図５】本発明の一実施例によるトランジスタの光エネルギーを電気エネルギーに変換する駆動電気回路の直列で設けた並列を呈するインダクタンス及びキャパシタンスで構成されている可変型負電圧回路供給装置を示す回路図である。
【図６】本発明の一実施例によるトランジスタの光エネルギーを電気エネルギーに変換する駆動電気回路のレジスタンス及び補助蓄電装置が直列で設けられている可変型負電圧回路供給装置を示す回路図である。
【図７】本発明の一実施例によるトランジスタの光エネルギーを電気エネルギーに変換する駆動電気回路のツェナーダイオード及び補助蓄電装置が直列で設けられている可変型負電圧回路供給装置を示す回路図である。
【図８】本発明の一実施例によるトランジスタの光エネルギーを電気エネルギーに変換する駆動電気回路のプレストレスド構造がある圧電効力ユニットを並列することで構成されている可変型負電圧回路供給装置を示す回路図である。
【図９】本発明の一実施例によるトランジスタの光エネルギーを電気エネルギーに変換する駆動電気回路の駆動する信号と逆極性で直列することを呈する光エネルギーを電気エネルギーに変換するユニットで構成されている可変型負電圧回路供給装置を示す回路図である。
【図１０】本発明の一実施例によるトランジスタの光エネルギーを電気エネルギーに変換する駆動電気回路の電気エネルギー発光ユニットでカップリングされた光エネルギーを電気エネルギーに変換するユニットの入力端にツェナーダイオードを直列することで構成されている可変型負電圧回路供給装置路を示す回路図である。
【図１１】本発明の一実施例によるトランジスタの光エネルギーを電気エネルギーに変換する駆動電気回路の負電圧の貯蔵する装置が設けられている回路を示す回路図である。
【図１２】本発明の一実施例によるトランジスタの光エネルギーを電気エネルギーに変換する駆動電気回路の負電圧の貯蔵する装置が設けられている回路を示す回路図である。
【図１３】本発明の一実施例によるトランジスタの光エネルギーを電気エネルギーに変換する駆動電気回路の２セットの逆極性で並列した光エネルギーを電気エネルギーに変換するユニットとマッチングする回路を示す回路図である。
【図１４】本発明の一実施例によるトランジスタの光エネルギーを電気エネルギーに変換する駆動電気回路の２セットの逆極性で並列した光エネルギーを電気エネルギーに変換するユニットを制御する回路を示す回路図である。
【図１５】本発明の一実施例によるトランジスタの光エネルギーを電気エネルギーに変換する駆動電気回路の２セットの逆極性の光エネルギーを電気エネルギーに変換するユニットを制御する回路を示す回路図である。
【図１６】本発明の一実施例によるトランジスタの光エネルギーを電気エネルギーに変換する駆動電気回路の１セットのコンスタント負極性の電気エネルギーで構成されている回路を示す回路図である。
【図１７】本発明の一実施例によるトランジスタの光エネルギーを電気エネルギーに変換する駆動電気回路の１セットのコンスタント負極性の電気エネルギーで構成されている回路を示す回路図である。
【図１８】本発明の一実施例によるトランジスタの光エネルギーを電気エネルギーに変換する駆動電気回路の１セットのコンスタント負極性の電気エネルギーで構成されている回路を示す回路図である。
【符号の説明】
Ｃ１０１    キャパシタンス
Ｌ１０１    インダクタンス
Ｑ１０１    高入力抵抗型トランジスタ
Ｒ４００    補助レジスタンス
Ｒ５００    補助レジスタンス
Ｒ５００’  補助レジスタンス
Ｒ６００    補助レジスタンス
Ｒ７００    補助レジスタンス
Ｒ７００’  補助レジスタンス
ＥＬ１０１    電気エネルギー発光ユニット
ＥＬ１０２    電気エネルギー発光ユニット
ＬＤ１０１    負荷ユニット
ＰＥ１０１    光エネルギーを電気エネルギーに変換するユニット
ＰＥ１０２    光エネルギーを電気エネルギーに変換するユニット
ＰＺ１０１    圧電効力ユニット
ＶＢ１０１    可変型負電圧回路供給装置
ＺＤ１０１    ツェナーダイオード
ＥＳＤ１０１    補助蓄電装置
【図１】
2004179244.tif 000003
【図２】
2004179244.tif 000004
【図３】
2004179244.tif 000005
【図４】
2004179244.tif 000006
【図５】
2004179244.tif 000007
【図６】
2004179244.tif 000008
【図７】
2004179244.tif 000009
【図８】
2004179244.tif 000010
【図９】
2004179244.tif 000011
【図１０】
2004179244.tif 000012
【図１１】
2004179244.tif 000013
【図１２】
2004179244.tif 000014
【図１３】
2004179244.tif 000015
【図１４】
2004179244.tif 000016
【図１５】
2004179244.tif 000017
【図１６】
2004179244.tif 000018
【図１７】
2004179244.tif 000019
【図１８】
2004179244.tif 000020